(57)【要約】【課題】  留守設定機能をオンした場合でも、１回の呼出操作による映像の録画を１回のみとしてメモリを効率良く利用でき、それでいて来訪者に関する十分な情報を保存することを可能とする。【解決手段】  居室親機２は、来訪者に用件の録音を促すメッセージを記憶すると共に、映像及び音声を保存するメモリ２８とを有し、親機ＣＰＵ３１は留守録機能がオフの状態で玄関子機１が呼出操作されたら、子機カメラ１５を起動して１０秒間の撮像映像をメモリ２８に保存すると共に、留守録機能がオンの状態で玄関子機１が呼出操作されたら、子機カメラ１５を起動して静止画をメモリ２８に保存するのに加えて、用件の録音を促すメッセージを報音した後に玄関子機１が集音した一定時間の音声をメモリ２８に保存し、更に音声の保存に連動させて子機カメラ１５の撮像映像をメモリ２８に保存する。【選択図】  図１
2018160841.tif 000002
【特許請求の範囲】
【請求項１】
来訪者が居住者を呼び出すための玄関子機と、前記玄関子機からの呼び出しに居住者が応答するための居室親機とを有し、前記玄関子機には来訪者を撮像するためのカメラを備える一方、前記居室親機には前記カメラの撮像映像を表示するモニタを備え、更に前記居室親機には呼出操作を受けたら来訪者の映像及び音声を保存する留守録機能を備えたインターホン装置であって、
前記居室親機は、来訪者に用件の録音を促すためのメッセージを記憶すると共に、映像及び音声を保存するメモリと、映像及び音声の保存を制御する保存制御部とを有し、
前記保存制御部は、前記留守録機能がオフの状態で前記玄関子機が呼出操作されたら、前記カメラを起動して一定時間の撮像映像を前記メモリに保存すると共に、
前記留守録機能がオンの状態で前記玄関子機が呼出操作されたら、前記カメラを起動して撮像した静止画を前記メモリに保存するのに加えて、前記録音を促すメッセージを前記玄関子機から報音した後に前記玄関子機が集音した一定時間の音声を前記メモリに保存し、更に前記音声の保存に連動させて前記カメラの撮像映像を前記メモリに保存することを特徴とするインターホン装置。
【請求項２】
前記保存制御部は、前記留守録機能がオンの時に保存する静止画は、呼出操作を受けてから数秒経過した時点での撮像画像であることを特徴とする請求項１記載のインターホン装置。
【発明の詳細な説明】
【技術分野】
【０００１】
本発明はインターホン装置に関し、特に来訪者の映像及び音声を保存する機能を備えたインターホン装置に関する。
【背景技術】
【０００２】
従来より、来訪者の映像及び音声を保存する機能を備えたインターホン装置がある。例えば留守録機能を備えたインターホン装置では、留守時に来訪者があったら玄関子機のカメラにより来訪者を撮像してその映像を保存し、引き続き来訪者に対して用件の録音を促すメッセージを玄関子機から報音して、その後に来訪者音声の録音と並行して２度目の録画を行った（例えば、特許文献１参照）。
【先行技術文献】
【特許文献】
【０００３】
【特許文献１】特開２００７−２６７２５３号公報
【発明の概要】
【発明が解決しようとする課題】
【０００４】
来訪者の用件を録音する機能を備えた上記インターホン装置は、用件の録音を促すメッセージを報音する前後でカメラの撮像映像を録画したことで、用件の録音を促すメッセージを報音したら録音せずに帰ってしまう来訪者に対しても来訪者の映像を残すことができた。
しかしながら、録音を促すメッセージの報音前後の映像を録画する場合、１件の呼出操作に対して２度録画することになり、メモリ上では通常の録画操作の２件分の録画エリアを使用していた。そのため、メモリは通常３０件程度の録画が可能な容量を備えているが、留守録設定した場合に録画できる件数は半分の１５件分程度となり、メモリ容量を十分に活用できていなかった。
【０００５】
そこで、本発明はこのような問題点に鑑み、留守録機能をオンした場合でも、１回の呼出操作による映像の録画を１回のみとしてメモリを効率良く利用でき、それでいて来訪者に関する十分な情報を保存することが可能なインターホン装置を提供することを目的としている。
【課題を解決するための手段】
【０００６】
上記課題を解決する為に、請求項１の発明は、来訪者が居住者を呼び出すための玄関子機と、玄関子機からの呼び出しに居住者が応答するための居室親機とを有し、玄関子機には来訪者を撮像するためのカメラを備える一方、居室親機にはカメラの撮像映像を表示するモニタを備え、更に居室親機には呼出操作を受けたら来訪者の映像及び音声を保存する留守録機能を備えたインターホン装置であって、居室親機は、来訪者に用件の録音を促すためのメッセージを記憶すると共に、映像及び音声を保存するメモリと、映像及び音声の保存を制御する保存制御部とを有し、保存制御部は、留守録機能がオフの状態で玄関子機が呼出操作されたら、カメラを起動して一定時間の撮像映像をメモリに保存すると共に、留守録機能がオンの状態で玄関子機が呼出操作されたら、カメラを起動して撮像した静止画をメモリに保存するのに加えて、録音を促すメッセージを玄関子機から報音した後に玄関子機が集音した一定時間の音声をメモリに保存し、更に音声の保存に連動させてカメラの撮像映像をメモリに保存することを特徴とする。
この構成によれば、留守録機能オン時の保存映像は１つであるため、従来のように２つの保存エリアを使用することが無くメモリを有効に使用できる。そして、留守録機能がオン状態での保存映像は、メッセージ報音後の映像であるため、録音した音声と合わせて来訪者の把握が可能であるし、合わせて呼出操作時の静止画も保存するため、画像と映像の少なくともどちらかで人物の把握が可能であり、保存映像が１つであても来訪者に関する十分な情報を保存することができる。
更に、留守録機能オフ時でも、呼出操作を受けてカメラの撮像映像を保存するため、留守録設定し忘れても来訪者映像を残すことが可能であるし、セキュリティ上も好ましい。
【０００７】
請求項２の発明は、請求項１に記載の構成において、保存制御部は、留守録機能がオンの時に保存する静止画は、呼出操作を受けてから数秒経過した時点での撮像画像であることを特徴とする。
この構成によれば、呼出操作を受けた直後はまだ来訪者がカメラの前に達していないことが多いため、例えば呼出操作を受けてから僅かにタイミングを遅らせてカメラが撮像した静止画を保存することで、来訪者が映り込んだ画像を得やすく、来訪者の確認に有効である。
【発明の効果】
【０００８】
本発明によれば、留守録機能オン時の保存映像は１つであるため、メモリを有効に使用できる。そして、留守録機能がオン状態での保存映像は、メッセージ報音後の映像であるため、録音した音声と合わせて来訪者の把握が可能であるし、合わせて呼出操作時の静止画も保存するため、画像と映像の少なくともどちらかで人物の把握が可能となり、保存映像が１つであても来訪者に関する十分な情報を保存することができる。
更に、留守録機能オフ時であっても、呼出操作を受けてカメラの撮像映像を保存するため、留守録設定し忘れても来訪者映像を残すことが可能であり、セキュリティ上も好ましい。
【図面の簡単な説明】
【０００９】
【図１】本発明に係るインターホン装置の一例を示すブロック図である。
【図２】呼出操作を受けてから映像／音声を保存する流れを示すタイミング図である。
【発明を実施するための形態】
【００１０】
以下、本発明を具体化した実施の形態を、図面を参照して詳細に説明する。図１は本発明に係るインターホン装置の一例を示すブロック図であり、１は来訪者が居住者を呼び出すための玄関子機、２は玄関子機１からの呼び出しに居住者が応答するための居室親機である。両者は伝送線Ｌ１により接続されている。
【００１１】
玄関子機１は、呼出操作する呼出ボタン１１、通話するためのマイク１２及びスピーカ１３を備えた子機音響制御部１４、来訪者を撮像するための子機カメラ１５、居室親機２と通信するための子機ＩＦ１６等を備えている。
【００１２】
居室親機２は、玄関子機１からの呼び出しに応答するための通話ボタン２１、通話するためのマイク２２及びスピーカ２３を備えた親機音響制御部２４、子機カメラ１５の撮像映像を表意するためのモニタ２５、モニタ２５に表示する映像を処理する映像処理部２６、留守録機能をオン設定する留守録ボタン２７、映像及び音声を保存するメモリ２８、所定のメッセージ音声を記憶するメッセージ記憶部２９、保存映像の再生操作する再生ボタン３０、居室親機を制御する親機ＣＰＵ３１、玄関子機１と通信する親機ＩＦ３２等を備えている。
【００１３】
上記の如く構成されたインターホン装置は以下の様に動作する。まず、留守録設定されていない通常時（留守録機能オフ時）の動作を説明する。玄関子機１の呼出ボタン１１が押下されて呼び出しが行われると、親機ＣＰＵ３１の制御により居室親機２のスピーカ２３で呼出音が放音されると同時に、子機カメラ１５が撮像を開始して撮像された映像がモニタ２５に表示される。呼出音で来訪者に気づいた居住者により、モニタ２５の表示映像を見て来訪者を確認しながら通話ボタン２１が押下されると、玄関子機１との居室親機２との間で通話路が形成され、来訪者と居住者の間で通話が可能となる。
【００１４】
また親機ＣＰＵ３１は、子機カメラ１５の撮像映像の保存制御を行う。図２は呼出操作を受けてから映像／音声を保存する流れを示すタイミング図であり、この図２を参照して説明する。
呼出操作を受けて撮像を開始した子機カメラ１５の撮像映像のうち、呼出操作を受けてから２秒経過したら映像の保存を開始し、一定時間（例えば、１０秒間）の映像（第１の動画Ｍ１）をメモリ２８に保存する。但し、一定時間が経過する前に通話が終了したら（終話操作されたら）映像の保存はその時点で終了となる。
更に、保存した第１の動画Ｍ１の最初の画像フレームを静止画Ｐ１としてメモリ２８に別途保存する。
【００１５】
次に、留守録設定が成されて留守録機能がオンした場合の動作を説明する。居室親機２の留守録ボタン２７が押下されることで、留守録機能がオンして留守録モード動作を開始し、以下の様に動作する。
玄関子機１の呼出ボタン１１が押下されて呼び出しが行われると、親機ＣＰＵ３１の制御により居室親機２で呼出音が放音されると同時に、子機カメラ１５が撮像を開始して撮像された映像がモニタ２５に表示される。
そして、呼出操作を受けて撮像を開始した子機カメラ１５の撮像映像のうち、呼出操作を受けてから２秒経過したら映像の保存を開始し、一定時間（例えば１０秒）の映像（第１の動画Ｍ１）をメモリ２８に保存する。更に保存した第１の動画Ｍ１の最初の画像フレームを静止画Ｐ１としてメモリ２８に別途保存する。
【００１６】
ここまでは、留守録機能がオフの場合と動作が共通しているが、更に親機ＣＰＵ３１の制御により以下の動作が行われる。
その後、一定時間が経過して第１の動画Ｍ１の保存が終了したら、次に用件の録音を促すために、メッセージ記憶部２９に記憶されている音声メッセージＶ１が玄関子機１から報音される。例えば、「ただ今出ることができません。メッセージをどうぞ」のメッセージが玄関子機１から放音される。
【００１７】
そして、この報音が終了したら玄関子機１のマイク１２が集音し来訪者音声の録音（保存）が開始され、一定時間（ここでは１５秒）録音Ｖ２されてメモリ２８に保存される。更に、この音声の保存に連動して子機カメラ１５の撮像映像（第２の動画Ｍ２）もメモリ２８に保存される。
最後に、この音声及び映像の保存が終了したら、最初に保存された第１の動画Ｍ１が消去され、保存される来訪者の情報は、最初に保存した静止画Ｐ１及びメッセージ報音後の音声Ｖ２と１つの映像（第２の動画Ｍ２）となる。
【００１８】
尚、この一度保存した第１の動画を最終的には消去する制御は、制御の簡素化を図るために多くの制御を留守録機能オフの保存制御に一致させているもので、当然最初から異なる制御を実施して第１の動画Ｍ１の保存制御をしなくても良い。
【００１９】
このように、留守録機能オン時の保存映像は１つ（第２の動画Ｍ２のみ）であるため、従来のように２つの保存エリアを使用することが無くメモリ２８を有効に使用できる。そして、留守録機能がオン状態での保存映像は、音声メッセージＶ１を報音した後の映像であるため、録音した音声と合わせて来訪者の把握が可能であるし、合わせて呼出操作時の静止画Ｐ１も保存するため、画像と映像の少なくともどちらかで人物の把握が可能となる。よって、保存映像が１つであっても来訪者に関する十分な情報を保存することができる。
更に、留守録機能オフ時でも、呼出操作を受けて子機カメラ１５の撮像映像（第１の動画）を保存するため、留守録設定し忘れても来訪者映像を残すことが可能であるし、セキュリティ上も好ましい。
また、呼出操作を受けた直後は、まだ来訪者が子機カメラ１５の前に達していないことが多いため、例えば呼出操作を受けてから僅かにタイミングを遅らせて例えば２秒経過してからの子機カメラ１５の静止画を保存することで、来訪者が映り込んだ画像を得やすく、来訪者の確認に有効である。
【００２０】
尚、上記実施形態では、留守録機能オフ時では第１の動画Ｍ１に加えて静止画Ｐ１も保存しているが、保存するのは動画のみであっても良い。但し、静止画を合わせて保存すれば、メモリ２８がオーバーフローして古い動画が自動削除され上書きされても、静止画は残るため、来訪者の確認は引き続き可能となる。
また、保存する映像の録画時間は１０秒或いは１５秒に限定するものでなく任意であるし、呼出操作を受けてから静止画を録画するまでの待ち時間も２秒で固定する必要はなく、１秒から４秒の間の数秒に設定すると良い。
更に、本発明のインターホン装置は戸建住宅に対して適用できるが、集合住宅に対すても適用でき、エントランスに設置されて住戸を選択して呼び出すための集合玄関機（図示せず）を上記玄関子機１とすれば良く、集合玄関機と個々の住戸に設置された居室親機２との間で上記制御を実施できる。
【符号の説明】
【００２１】
１・・玄関子機、２・・居室親機、１１・・呼出ボタン、１５・・子機カメラ（カメラ）、１２・・マイク、１３・・スピーカ、２５・・モニタ、２７・・留守録ボタン、２８・・メモリ、２９・・メッセージ記憶部、３１・・親機ＣＰＵ（保存制御部）。
【図１】
2018160841.tif 000003
【図２】
2018160841.tif 000004